(57)【要約】【課題】展示効果を高めるほか、顧客及び店側の便益を図り、顧客の購買意欲をそそり、販売促進ができるようにすること。【解決手段】主として顧客が自由に移動できる顧客側空間１１２と、主として店員が自由に移動できる店員側空間１１３を有するとともに、ペットを収容する空間を形成したペット収容部を備え、該ペット収容部の少なくとも前面と上面２１ｂが透光性を有する板材で形成され、該上面２１ｂがテーブル面兼用であるペット用展示販売ケース１１が、前記顧客側空間１１２の端に設置されて、前記顧客側空間１１２と店員側空間１１３の間に準店員側空間１１４が設けられ、該準店員側空間１１４における前記ペット用展示販売ケース１１と対向する奥に、ペットを収容する複数のペット収容室１１６が形成されたペット販売用ブース構造１１１。【選択図】図１
2011024432.tif 000002
【特許請求の範囲】
【請求項１】
主として顧客が自由に移動できる顧客側空間と、主として店員が自由に移動できる店員側空間を有するとともに、
ペットを収容する空間を形成したペット収容部を備え、該ペット収容部の少なくとも前面と上面が透光性を有する板材で形成され、該上面がテーブル面兼用であるペット用展示販売ケースが、前記顧客側空間がわの端に設置されて、前記顧客側空間と店員側空間の間に準店員側空間が設けられ、
該準店員側空間における前記ペット用展示販売ケースと対向する奥に、ペットを収容する複数のペット収容室が形成された
ペット販売用ブース構造。
【請求項２】
前記ペット用展示販売ケースに並べて、前記準店員側空間に対する顧客の出入りを許容する顧客出入口が形成された
請求項１に記載のペット販売用ブース構造。
【請求項３】
前記準店員側空間に、前記店員側空間への店員用出入口が形成された
請求項１または請求項２に記載のペット販売用ブース構造。
【請求項４】
前記ペット収容室内の奥又はその近傍に、光を反射する反射構造が設けられた
請求項１から請求項３のうちのいずかれ一項に記載のペット販売用ブース構造。
【請求項５】
前記複数のペット収容室の側面部分が透光性を有する
請求項１から請求項４のうちのいずれか一項に記載のペット販売用ブース構造。
【請求項６】
前記ペット収容室が前記ペット用展示販売ケースの手前位置から見えるように、前記ペット収容室が前記準店員側空間の高さ方向の中間位置から上に設けられた
請求項１から請求項５のうちのいずれか一項に記載のペット販売用ブース構造。
【請求項７】
前記ペット収容室に、高価なペットが収容された
請求項１から請求項６のうちのいずれか一項に記載のペット販売用ブース構造。
【発明の詳細な説明】
【技術分野】
【０００１】
この発明は、ペットショップ等のペット販売用ブース構造に関し、より詳しくは、展示効果を高め、購買意欲をそそることができるようなペット販売用ブース構造に関する。
【背景技術】
【０００２】
ペット販売用ブース構造としては、たとえば下記特許文献１に開示されたものが提案されている。このペット販売用ブース構造は、ベース部と天井部と前面壁部と側面壁部と背面壁部とを有するブース本体を備え、このブース本体内を、前面壁部側の主展示区画と、背面壁部側の副展示区画と、これらの間の店員用通路とに主として区画している。
【０００３】
そして、前記主展示区画では、ペットが自力で乗り越えることを抑制する高さの区画間仕切壁で長手方向に沿って複数に仕切られ、前記店員用通路との間は、店員用通路から店員がペットを抱き上げることが可能でペットが自力で乗り越えることを抑制する高さの通路仕切壁で仕切られている。
【０００４】
また、前記副展示区画は、主展示区画の底面部よりも底上げして形成されている。構造は前記主展示区画と略同様で、ペットが自力で乗り越えることを抑制する高さの区画間副仕切壁で長手方向に沿って複数に仕切られ、前記店員用通路との間は、ペットが自力で乗り越えることを抑制する高さの前面副壁部で仕切られている。
【０００５】
この発明によれば、展示中のペットのストレスの蓄積を回避し、顧客にはペットをよく見てもらえ、展示空間を活用できるという効果がある。
【先行技術文献】
【特許文献】
【０００６】
【特許文献１】特許第３９４６７５１号公報
【発明の概要】
【発明が解決しようとする課題】
【０００７】
しかし、特許文献１のブース構造は、全体で一つのショーケースをなすものである。このため、顧客はあくまでもブース本体の外から見るしかない。ブース本体内に店員用通路はあるが、顧客が入れるわけではなく、顧客はあくまでも、外から見て、ペットの様子をよく観察して、店員の説明とあわせてペットの購入を決めなければならない。
【０００８】
前記の構成によれば確かに、顧客は目的とするペットについてのより本当の性格を知ることができるようになると思われる。
【０００９】
しかし、前記の構成に、ペットショップ等を訪れた様々な顧客を引き付ける力は、あまり期待できない。前述のように外からよく見て、自ら積極的に店員に説明を求めてゆく意思のない顧客には、訴求力が得られないからである。
【００１０】
また、前述のようにブース構造が全体で一つのショーケースとなっており、それが店内の一部分に置かれた状態で床面から天井面までを占める構造である。このため、ブース内においては奥行き方向の広がりを持っていても、全体としてみれば、一つのショーケースに過ぎず、展示効果としては、従来に行われていたペットケージ等を重ねた状態で店舗内の壁面に並べる場合と、さして変わるものではない。
【００１１】
そこで、この発明は、展示効果を高め、顧客の購買意欲をそそることができるようにすることを主たる目的とする。
【課題を解決するための手段】
【００１２】
そのための手段は、主として顧客が自由に移動できる顧客側空間と、主として店員が自由に移動できる店員側空間を有するとともに、ペットを収容する空間を形成したペット収容部を備え、該ペット収容部の少なくとも前面と上面が透光性を有する板材で形成され、該上面がテーブル面兼用であるペット用展示販売ケースが、前記顧客側空間がわの端に設置されて、前記顧客側空間と店員側空間の間に準店員側空間が設けられ、該準店員側空間における前記ペット用展示販売ケースと対向する奥に、ペットを収容する複数のペット収容室が形成されたペット販売用ブース構造である。
【００１３】
前記「顧客側空間がわの端」とは、設置位置が顧客側空間にあることも、顧客側空間に隣接する準店員側空間にあることも、両空間に跨る位置にあることも含む意味である。
【００１４】
ペット用展示販売ケースが顧客側空間と準店員側空間の間を仕切り、このペット用展示販売ケースの少なくとも前面と上面から内部のペットを視認でき、上面はテーブル面兼用であるので、店員と顧客が、上など様々な方向からペットを見ながらの対面販売が可能である。必要な書面を使っての説明、サイン等の動作も可能である。
【００１５】
そしてその奥の準店員側空間には、複数のペット収容室が形成されているので、顧客はペット用展示販売ケースの手前側から準店員側空間内の複数のペット収容室を視認できる。目の前のペット用展示販売ケース内のペットと、準店員側空間内のペットを、別個のケース内のペットとして認識でき、見比べることができるので、両ペットの種類（人気度、価格帯、珍しさなど）の違えておくことによって、店側にとっては顧客の購買意欲を刺激することができる。
【００１６】
また、原則として顧客の進入を禁止しながらも、必要に応じて顧客を準店員側空間に入らせることによって、顧客に心理的満足感を与えることができる。
【発明の効果】
【００１７】
以上のように、この発明によれば、１個のショーケースによる展示のようなものではなく、顧客にとっては親密感がわくような立体的な展示販売空間を得られ、新規な展示形態、販売形態を提供し、高い展示効果を得ることができる。また、顧客の購買意欲をそそることができ、新規の顧客開拓等を図ることもできる。
【図面の簡単な説明】
【００１８】
【図１】ペット販売用ブース構造の一例を示す概略平面図。
【図２】図１の正面図。
【図３】ペット販売用ブース構造に用いられるペット用展示販売ケースの使用状態の斜視図。
【図４】ペット販売用ブース構造に用いられるペット用展示販売ケースの斜視図。
【図５】ペット販売用ブース構造に用いられるペット用展示販売ケースの背面図。
【図６】ペット販売用ブース構造に用いられるペット用展示販売ケースのペット収容部における横断面図。
【図７】図６の一部拡大図。
【図８】ペット販売用ブース構造に用いられるペット用展示販売ケースの縦断面図。
【図９】ペット販売用ブース構造に用いられるペット用展示販売ケースを直列に並べた状態の斜視図。
【図１０】ペット販売用ブース構造に用いられるペット用展示販売ケースの立設壁部分の断面図。
【図１１】ペット販売用ブース構造に用いられるペット用展示販売ケースの排気路を示す拡大断面図。
【図１２】ペット販売用ブース構造における奥のペット収容室の一部の構造を示す横断面図。
【図１３】ペット販売用ブース構造の他の例を示す概略平面図。
【図１４】ペット販売用ブース構造の他の例を示す概略平面図。
【図１５】ペット販売用ブース構造に用いる他の例に係るペット用展示販売ケースの斜視図。
【発明を実施するための形態】
【００１９】
この発明を実施するための一形態を、以下図面を用いて説明する。  
図１は、犬などのペットを販売するためのペットショップ等のペット販売用ブース構造１１１（以下、「ブース構造」という。）の概略平面図、図２は、その正面図である。
【００２０】
このブース構造１１１は、主として顧客ＣＵ１，ＣＵ２が自由に移動できる顧客側空間１１２と、主として店員ＣＬが自由に移動できる店員側空間１１４と、原則として店員ＣＬのみが入れる準店員側空間１１４を有する。
【００２１】
この準店員側空間１１４は、直線状に区分された店員側空間１１３の一部を平面視長方形状に侵食する形で形成され、準店員側空間１１４内における顧客側空間１１２がわの端に、ペット用展示販売ケース１１（以下、「展示販売ケース」という。）を２台、直列に配設している。
【００２２】
ここで、前記展示販売ケース１１について説明する。  
図３は、この展示販売ケース１１の使用状態を示す斜視図である。この図３に示すように、展示販売ケース１１は、ペットＰを収容する空間を形成したペット収容部２１が、床面Ｆに設置される基台部３１の上に設けられ、前記ペット収容部２１の前面２１ａと上面２１ｂと両側面２１ｃと後面２１ｄが透光性を有するガラス板で形成されている。そして、上面２１ｂの高さは、成人が上から覗き込める高さ、換言すれば、床面から１００ｃｍ程度の、いわゆる腰高程度、カウンター高さに設定されている。
【００２３】
このため、図３に仮想線で示したように、展示販売ケース１１の前記前面２１ａ側には顧客ＣＵ１，ＣＵ２が、前記後面２１ｄ側には店員ＣＬが立って、展示販売ケース１１を挟んで対面状態で会話ができる。成人の顧客ＣＵ１や店員ＣＬは、展示販売ケース１１の前記上面２１ｂに肘をつけることが可能で、子どもの顧客ＣＵ２は、よりペットＰに近い位置で前記前面２１ａ越しに前記ペット収容部２１内のペットＰを見ることが可能である。また、前記上面２１ｂは、テーブル面としても使用できる。
【００２４】
図４は、展示販売ケース１１の正面側から見た斜視図、図５はその背面図、図６は、ペット収容部２１部分における展示販売ケース１１の横断面図であり、図７は図６の一部の拡大図、図８は展示販売ケース１１の縦断面図である。
【００２５】
これらの図に示したように、展示販売ケース１１は全体として直方体状であり、下側部分が前記基台部３１、上側部分が前記ペット収容部２１である。そして、ペット収容部２１内は、長手方向に区分された複数のペット収容室２２を有している。
【００２６】
まず、基台部３１について説明する。  
基台部３１は中空構造であり、内部に、前記ペット収容室２２に対応させて複数の、開閉可能な物品収納部３２が設けられている。開閉のための開閉扉３３は、基台部３１の後面３１ｄに設けられる。また、後面３１ｄの開閉扉３３の上方には、図５に示したようにコンセント３４が設けられている。
【００２７】
前記開閉扉３３は、図示例においては観音開き状のものを示したが、一枚ものの扉であるも、引き戸式のものであるもよい。
【００２８】
基台部３１の側面３１ｃは平らに形成され、可能な限り前記ペット収容部２１の側面２１ｃと面一に形成される。複数台を接続状態で設置したときにペット収容部２１間に隙間ができることを極力抑えることができるからである。
【００２９】
基台部３１の前面３１ａも同様であるが、下端部には、照明手段を内蔵している。すなわち、図８に示したように、基台部３１の前面３１ａを構成する基台前面板３５の下端３５ａを展示販売ケース１１の下端位置（床面Ｆ）よりも高い位置に設定し、この基台前面板３５より後方に適宜距離隔てた位置に後退板３６が備えられている。これら基台前面板３５と後退板３６との間に天井板３７が設けられ、この天井板３７に、照明手段としての蛍光灯３８が下に向けて装着される。これにより、間接照明ができる。
【００３０】
なお、図４、図５に示した展示販売ケース１１は、図９に示したように左右に２台並べて使用するもののうちの一方を示したものであるので、基台部３１の両側面３１ｃのうちの一方側の側面３１ｃの前面側下端部３１ｅを、下まで延ばして、照明手段を内蔵した部分を閉塞している。単独で用いる展示販売ケースにおいては、両側面の前面側下端部を下まで延ばすとよい。
【００３１】
前記基台部３１の外観は、ペット収容部２１を引き立てるような所望の外観に形成される。図中、３９はアジャスタ、３１ｆは隠蔽部である。前記アジャスタ３９に代えてキャスタを用いることもできる。
【００３２】
次に、ペット収容部２１について説明する。  
ペット収容部２１は、前面２１ａと上面２１ｂと両側面２１ｃがガラス板からなる前面板２３、上面板２４、側面板２５を一体に接合して、前記基台部３１上に固定されている。そして、内部を、前述のように長手方向に複数のペット収容室２２に区分するため、前面板２３と上面板２４には、側面板２５と平行に間仕切り２６が固定されている。この間仕切り２６も、透光性を有するガラス板で構成されている。各板２３，２４，２５，２６の接合は、気密状態を保つように行われる。
【００３３】
透光性を有するガラス板としては、透明なものは勿論のこと、有色のものやマジックミラー（ハーフミラー）であるもよい。マジックミラーを用いれば、照度、照明の配置等の設定により、ペットＰと人間双方にとっての視認性を変化させることができる。
【００３４】
なお、図示例では、長手方向に間隔をあけて２枚の間仕切り２６が設けられて、長手方向に並ぶ３個のペット収容室２２に区分されているが、間仕切り２６の間隔は等間隔でも、異なる間隔であるもよく、間仕切り２６は１枚でも３枚等でもよい。複数のペット収容室２２を１台の展示販売ケース１１に備えるので、効率よく見やすい展示ができる利点があるが、店舗の構造等によっては、間仕切りを設けず１個のペット収容室２２のみを有する構成であるもよい。
【００３５】
そして、後面２１ｄには、ペット収容室２２ごとに、透光性を有するガラス板からなる観音開き状の収容室開閉扉２７が開閉可能に設けられる。これにより、基台部３１の上方の空間を包囲することができる。収容室空間２７は、周知のマグネットキャッチにより閉じた状態を保持でき、施錠もできるように取り付けられている。
【００３６】
前記前面板２３、上面板２４、側面板２５の接合部分は気密状態を保つように行われる一方、後面２１ｄ側は通気性を有する。すなわち、前記収容室開閉扉２７と、上面板２４、側面板２５及び間仕切り２５との間の隙間、収容室開閉扉２７間の隙間、さらには収容室開閉扉２７に設けられた孔部を通して、空気の流通が可能である。図５中、２７ａは通気孔、２７ｂは吸水器取り付け孔、２７ｃはコード等挿通孔である。
【００３７】
なお、収容室開閉扉２７は、透光性を有するものではなくともよい。例えば、柵やパネル、鏡などで構成することもできる。また、観音開きであると開放時の省スペース化を図れるとともに、ペット収容室２２の必要部分のみを開放できる利点があるが、たとえば片開き、一部のみが開閉する構造、その他の構造であるもよく、さらには開閉扉を設けずに開放状態のままであるもよい。
【００３８】
また、前記収容室開閉扉２７は、図１０に示したように、ペット収容室２２の内底面２２ａよりも高い位置に設けられる。すなわち、ペット収容室２２の後面２１ｄ側端部に、ペット収容室２２の内底面２２ａから立ち上がる立設壁２２ｂが形成され、この立設壁２２ｂの上に、収容室開閉扉２７の下端が設けられる。
【００３９】
立設壁２２ｂは、ペット収容室２２の底部を構成する底板２８の後縁を高くして形成される。また、立設壁２２ｂの前面側には、薄い金属板製のカバー部材２９が取り付けられる。カバー部材２９は、側面視逆Ｌ字状をなし、上面部２９ａの端部を立設壁２２ｂの上面に固定したときに、カバー部材２９の垂直面部２９ｂが立設壁２２ｂの前方に隙間２２ｃが形成される。
【００４０】
立設壁２２ｂの高さは、収容されるペットＰが容易に飛び出すことを防止できる高さであるのが好ましい。このような立設壁２２ｂがあると、収容室開閉扉２７を開けたときにペットＰが飛び出すのを抑制できるとともに、ペット収容室２２に収めたトレーなどの物品が不測に落ちることを防止できる。
【００４１】
前記ペット収容部２１の側面２１ｃにおける立設壁２２ｂとカバー部材２９に対応する部分は、前記隠蔽部３１ｆによって隠蔽され、外側から見えないようにされている。
【００４２】
また立設壁２２ｂの近傍には、前記ペット収容室２２内の空気を基台部３１側に排気する排気路４１が形成されている。すなわち、前記底板２８の立設壁２２ｂの前方であって、前記カバー部材２９で覆われて形成された隙間２２ｃの下に、上下方向に貫通する通気孔２８ａが形成される。この通気孔２８ａは、図７に示したように長手方向に長い形状で、長手方向に沿って複数本形成されている。
【００４３】
この通気孔２８ａにペット収容室２２内の空気を流下させることを可能にするため、図１１に示したように、前記カバー部材２９の上面２９ａに、図７に示したような前後方向に長い複数本のスリット状の入り口２９ｃが形成されている。すなわち、前記排気路４１は、入り口２９ｃ、隙間２２ｃおよび通気孔２８ａで構成される。図１２中、２９ｄはカバー部材２９を固定するためのねじ部材である。
【００４４】
使用時には展示販売ケース１１の後面側、下方側が負圧になるように設定されるので、前記排気路４１の上流側の入り口であるカバー部材２９の入り口２９ｃを入った空気は、立設壁２２ｂとカバー部材２９の間の隙間２２ｃと通気孔２８ａを通って、下流側である基台部３１側に流れる。具体的には、前記通気孔２８ａの下流側の物品収納部３２を通して所望部位に排気するほか、前記通気孔２８ａにホース（図示せず）を接続して所望部位に排気する。このため、展示販売ケース１１の前面側に臭い等が流れるのを防止できるとともに、ペット収容室２２ごとに空気が排気されるので、ペット収容室２２ごとに完全に区分されていることとあいまって、ペット間での病気の伝染を防止できる。
【００４５】
前述のようなカバー部材２９を備えるので、通気孔２８ａを顧客側から隠蔽することができ、外観を損ねない。また、通気孔２８ａに物品等が落ちることを防止できるとともに、ペットＰの排泄物が上からかからない限り排泄物が通気孔２８ａ及ぶことはないので、手入れが簡単である。
【００４６】
このように構成された展示販売ケース１１を前述の位置に、２台直列に並べて設置する。使用に際しては、各ペット収容室２２に周知のペットトレーなどを置いてペットＰを収容し、必要に応じて、吸水器、ヒーター、遊具などを入れる。
【００４７】
そして、並べられた展示販売ケース１１の長手方向の一方（図面左側）には、図１、図２に示したように、準店員側空間１１４に対する顧客ＣＵ１，ＣＵ２の出入りを許容する顧客出入口１１５が形成されている。この顧客出入口１１５には施錠できる扉１１５ａが設けられ、許可なしには顧客ＣＬが入れないように規制する。
【００４８】
また、展示販売ケース１１と対向する奥の壁面には、ペットＰを収容するペット収容室１１６が形成されている。このペット収容室１１６は複数形成され、ペット収容室群１１７とされる。
【００４９】
ペット収容室群１１７は、個々にペット収容室１１６を有するケースを並べて構成するも、前記展示販売ケース１１のように複数のペット収容室１１６を有するケースを用いて構成するも、いずれでもよい。
【００５０】
これらのペット収容室１１６の形成にあたっては、ペット収容室１１６が展示販売ケース１１の手前側から見えるように、ペット収容室１１６が準店員側空間１１４の高さ方向の中間位置から上に設けられる（図２参照）。換言すれば、準店員側空間１１４の足元部分にはペット収容空間１１６を形成しないで、壁面を形成するか、収容スペース等に利用する。
【００５１】
このようにペット収容室１１６を形成することによって、顧客ＣＵ１，ＣＵ２にとって手を伸ばせば届くような、届かないような、微妙な距離感を演出できる。そして、離れた位置からでも見やすい展示を可能にし、込み入った感じがなくスペース的に余裕のある様子を見せることによって、高級感を醸し出すことができる。
【００５２】
前記ペット収容室１１６については、その内部の奥又はその近傍に、光を反射する反射構造が設けられる（図１２参照）。反射構造のためには、鏡や鏡面加工した部材が用いられる。
【００５３】
すなわち、図１２（ａ）に示したように、ペット収容室１１６を形成する複数のケース１１８の後面を、鏡１１９で構成することができる。このとき、図１２（ｂ）に示したように、ペット収容室１１６の側面部分、すなわち各ケース１１８の側面１１８ａを、透光性を有するガラスやアクリル板等の材料で構成すると、斜めからの視認性を妨げることはなく、前記展示販売ケース１１の間仕切り２６をガラス板で構成した場合と同様の効果が得られる。
【００５４】
ケース１１８が複数のペット収容室１１６を有する場合には、図１２（ｃ）に示したように、ケース１１８の後面を全体的に鏡１１９で形成すればよい。
【００５５】
また、ケースのみに反射構造を持たせるのではなく、図１２（ｄ）に示したように、奥側の壁面１２０と協働した反射構造を構成することもできる。すなわち、壁面１２０に鏡１１９を固定し、この鏡の前に、透明な筐体からなるケース１１８を配置すればよい。
【００５６】
鏡１１９等からなる反射構造の存在により、光を反射して内部のペットＰを明るく見せることができるとともに、ペットＰの裏側も正面側から視認可能にすることができる。前述のように顧客側空間１１２から離れた位置に設置されたペット収容室１１６でも視認性が良好となり、前述のブース構造１１１と相まって斬新で効果的な展示ができる。複数のペット収容室１１６を、デザイン性を重視して隙間をあけて形成すると、より斬新な展示ができる。
【００５７】
さらに、準店員側空間１１４の長手方向の両端には、図１に示したように、前記店員側空間１１３への店員用出入口１２１が形成されている。店員用出入口１２１には、引き戸１２１ａが備えられ、店員側空間１１３との間が遮断され、店員側空間１１３が隠蔽される。店員側空間１１３には、ペットＰを管理するために必要な種々の設備が設けられる。このため、展示販売ケース１１とペット収容室１１６のペットを管理する店員側にとって、作業性がよい。図１、図２中、１２２は、その他のペット展示スペースである。
【００５８】
以上のように構成されたブース構造１１１においては、顧客ＣＵ１，ＣＵ２から見て手前側の展示販売ケース１１に注意を惹くペット、たとえば人気のペットや珍しいペットを収容し、奥のペット収容室１１６には高価なペットを収容するとよい。顧客ＣＵ１，ＣＵ２は展示販売ケース１１内のペットに惹かれて移動する。
【００５９】
前述のように展示販売ケース１１のペット収容部２１は、上面２１ｂと周囲の４面２１ａ，２１ｃ，２１ｄと間仕切り２６が透光性を有するガラス板からなるので、顧客は遠くからでも収容されているペットを視認することができる。側面２１ｃもガラス板からなるので、端のペット収容室２２のペットＰも斜め方向から視認可能である。しかも、１個のペット収容室２２のみではなく、複数のペット収容室２２を斜めからでも一度に、重ねるように見ることができる。このため、顧客ＣＵ１，ＣＵ２にとっては望みのペットＰを、ペットごとに見る場合と違って、探し易い。
【００６０】
そして、展示販売ケース１１は、店員ＣＬ側と顧客ＣＵ１，ＣＵ２側を仕切るように設置されており、しかも、ペット収容部２１の上面２１ｂがテーブル面を兼用する高さであるので、図３に示したように、店員ＣＬとの垣根が低い状態となり、目的とするペットＰを挟んだ状態でペットＰについての説明を受け、質問をするなどのやり取りが効率よく行える。書面を見ながらの説明やサインをするなどの事務的な処理もできる。このやり取りの最中にでも、展示販売ケース１１のペット収容室２２内のペットＰについてその全体を一目で見ることができるので、ペットの外観、性格など、お互いに錯誤のない取引が可能な販売形態となる。
この結果、ペットＰの選択などを誤ることもなく、適切で迅速な取引を促進できる。
【００６１】
しかも、展示販売ケース１１の前に立つと、準店員側空間１１４の奥に設けたペット収容室１１６内のペットにも目が行く。そして、前述のような微妙な距離感により、顧客の購買意欲を刺激する。このように顧客の誘導ができるため、これまでのペットのイメージとは変わって新規顧客の開拓にもなる。
【００６２】
また、顧客ＣＵ１，ＣＵ２が店員ＣＬとやり取りをして、展示販売ケース１１のペットやペット収容室１１６のペットを抱かせてもらう場合には、店員ＣＬが準店員用空間１１４に顧客ＣＵ１，ＣＵ２を招き入れる。準店員側空間１１４には許可がなければ入れないので、顧客ＣＵ１，ＣＵ２には要人扱いされたような心理が働き、購買意欲をかき立て、販売促進ができる。
【００６３】
このように、店側にとっては、人気のあるペット、珍しいペットを展示販売ケース１１に収容して、準店員側空間１１４の奥のペット収容室１１６内に高価なペットを収容することによって、ペットＰの展示効果を高めることができる。ペット販売に用いるこの展示販売ケース１１自体の斬新さと相まって、購買意欲を刺激するとともに、販売を促進する展示が可能である。
【００６４】
以下、ブース構造の若干の他の実施形態について説明する。この説明において、前述の構成と同一又は同等の部位については同一の符号を付して、その詳しい説明を省略する。
【００６５】
図１３は、ブース構造１１１の他の例を示す概略平面図で、図１に示したブース構造１１１と違って、展示販売ケース１１を平面視Ｖ字状に配設している。２本の直線状に配設された連結部分の間には、平面視三角形状の連結台１２３を置いて、隙間を塞いでいる。この連結台１２３の高さは、展示販売ケース１１の基台部３１の高さと同じに設定し、連結台１２３の上面には、装飾品やペット用玩具、販売情報などを展示しておくとよい。
【００６６】
このように展示販売ケース１１を配設したブース構造１１１では、準店員側空間１１４の長手方向（図１３の矢印Ａ参照）から来た顧客ＣＵ１，ＣＵ２にも、また購入意思のない者にも、展示販売ケース１１内のペットＰを積極的にアピールすることができる。この結果、奥のペット収容室１１６のペットＰについても認識させることができ、販売促進を図ることができる。
【００６７】
図１４は、ブース構造１１１の他の例を示す概略平面図で、図１１に示したブース構造１１１と違って、準店員側空間１１４が平面視Ｌ字状に形成されている。これに伴って、展示販売ケース１１も、ペット収容室群１１７も、平面視Ｌ状をなすように配置されている。
【００６８】
このように展示販売ケース１１を配設したブース構造１１１では、店舗内のコーナー部分を有効に利用して、コーナー部分に向かういずれの方向から来る者にでも、目立つように展示することができる。
【００６９】
以上の構成はこの発明を実施するための一形態であり、その他の形態を採用することもできる。  
たとえば、展示販売ケース１１として図１５に示したように、ペット収容部２１の前面２１ａと上面２１ｂを１枚の板材３０で構成し、その板材３０の前面２１ａと上面２１ｂの間に湾曲面２１ｅが形成されたものを使用すると、展示販売ケース１１の中に対しては、湾曲面２１ｅがあるので、斜めから見下ろしたときに角が出ないため、視野が広くなって見やすくなる。同時に、展示販売ケース１１の手前から準店員側空間１１４内を見たときでも、前記湾曲面２１ｅの存在により全体として柔らかな印象を付与でき、より見やすい展示ができる。
【００７０】
また、顧客出入口は、必ずしもペット用展示販売ケース１１に並べて設ける必要はなく、離れた場所にあってもよい。
【符号の説明】
【００７１】
１１１…ペット販売用ブース構造
１１２…顧客側空間
１１３…店員側空間
１１４…順店員側空間
１１５…顧客出入口
１１６…ペット収容室
１１９…鏡
１２１…店員用出入口
１１…ペット用展示販売ケース
２１…ペット収容部
２１ａ…前面
２１ｂ…上面
ＣＵ１，ＣＵ２…顧客
ＣＬ…店員
Ｐ…ペット
【図１】
2011024432.tif 000003
【図２】
2011024432.tif 000004
【図３】
2011024432.tif 000005
【図４】
2011024432.tif 000006
【図５】
2011024432.tif 000007
【図６】
2011024432.tif 000008
【図７】
2011024432.tif 000009
【図８】
2011024432.tif 000010
【図９】
2011024432.tif 000011
【図１０】
2011024432.tif 000012
【図１１】
2011024432.tif 000013
【図１２】
2011024432.tif 000014
【図１３】
2011024432.tif 000015
【図１４】
2011024432.tif 000016
【図１５】
2011024432.tif 000017